(57)【要約】【課題】桟部の変形を抑制する。【解決手段】天板２３１は、複数の貫通孔２３４と、複数の桟部２３５と、連結補強部２３６と、を有している。各貫通孔２３４は、互いに間隔をあけて配列されている。また、各貫通孔２３４は、配列方向と交差する延在方向に延びる。各桟部２３５は、各貫通孔２３４間に配置されている。各桟部２３５は、延在方向に延びている。連結補強部２３６は、貫通孔２３４を横切り、隣り合う桟部２３５同士を連結する。貫通孔２３４は、連結補強部２３６によって複数の分割孔２３４ａ、２３４ｂに分割される。【選択図】図５
2020098692.tif 000002
【特許請求の範囲】
【請求項１】
複数の燃料電池セルにガスを供給するマニホールドであって、
底板、側板、及び天板を備え、
前記天板は、
互いに間隔をあけて配列され、配列方向と交差する延在方向に延びる複数の貫通孔と、
前記各貫通孔間において前記延在方向に延びる複数の桟部と、
前記貫通孔を横切り、隣り合う前記桟部同士を連結する連結補強部と、
を有し、
前記貫通孔は、前記連結補強部によって複数の分割孔に分割される、
マニホールド。
【請求項２】
前記各分割孔は、長孔形状である、
請求項１に記載のマニホールド。
【請求項３】
請求項１又は２に記載のマニホールドと、
前記天板から延びる複数の燃料電池セルと、
を備える、セルスタック装置。
【請求項４】
前記各分割孔は、前記燃料電池セルに形成された複数のガス流路と連通する、
請求項３に記載のセルスタック装置。
【請求項５】
前記燃料電池セルは、前記天板と対向する基端面を有し、
前記基端面の外周縁部は、前記天板と当接し、
前記外周縁部に囲まれた前記基端面の中央部は、前記貫通孔と対向する、
請求項３又は４に記載のセルスタック装置。
【請求項６】
前記マニホールドは、ガス供給室と、ガス回収室と、を有し、
前記連結補強部は、前記ガス供給室と前記ガス回収室との境界部に配置され、
前記複数の分割孔は、前記ガス供給室と連通する第１分割孔と、前記ガス回収室と連通する第２分割孔と、を含む、
請求項３から５のいずれかに記載のセルスタック装置。
【請求項７】
前記燃料電池セルは、
前記ガス供給室と連通し、前記燃料電池セルの基端部から先端部に延びる少なくとも１つの第１ガス流路と、
前記ガス回収室と連通し、前記燃料電池セルの基端部から先端部に延びて前記燃料電池セルの先端部において前記第１ガス流路と連通する、少なくとも１つの第２ガス流路と、
を有する、
請求項６に記載のセルスタック装置。
【発明の詳細な説明】
【技術分野】
【０００１】
本発明は、マニホールド及びセルスタック装置に関するものである。
【背景技術】
【０００２】
セルスタック装置は、複数の燃料電池セルと、マニホールドとを有している。マニホールドは、各燃料電池セルにガスを供給するために、複数の貫通孔を有している。各貫通孔は、長孔形状を有しており、互いに間隔をあけて配列されている。
【先行技術文献】
【特許文献】
【０００３】
【特許文献１】特許第６３９３８４９号公報
【発明の概要】
【発明が解決しようとする課題】
【０００４】
一般的に、各貫通孔は、プレス加工によって形成される。このプレス加工などによって、各貫通孔間を延びる桟部が変形することがある。このように桟部が変形すると、例えば、接合材による燃料電池セルと天板との接合不良が生じるなどといった問題が生じ得る。
【０００５】
本発明の課題は、桟部の変形を抑制することのできるマニホールド及びセルスタック装置を提供することにある。
【課題を解決するための手段】
【０００６】
本発明の第１側面に係るマニホールドは、複数の燃料電池セルにガスを供給するように構成されている。このマニホールドは、底板、側板、及び天板を備えている。天板は、複数の貫通孔と、複数の桟部と、連結補強部と、を有している。各貫通孔は、互いに間隔をあけて配列されている。また、各貫通孔は、配列方向と交差する延在方向に延びる。各桟部は、各貫通孔間に配置されている。各桟部は、延在方向に延びている。連結補強部は、貫通孔を横切り、隣り合う桟部同士を連結する。貫通孔は、連結補強部によって複数の分割孔に分割される。
【０００７】
この構成によれば、各桟部は、連結補強部によって互いに連結されているために強度が向上し、変形が抑制される。
【０００８】
好ましくは、各分割孔は、長孔形状である。
【０００９】
本発明の第２側面に係るセルスタック装置は、上記いずれかのマニホールドと、天板から延びる複数の燃料電池セルと、を備える。
【００１０】
好ましくは、各分割孔は、燃料電池セルに形成された複数のガス流路と連通する。
【００１１】
好ましくは、燃料電池セルは、前記天板と対向する基端面を有する。基端面の外周縁部は、天板と当接する。外周縁部に囲まれた基端面の中央部は、貫通孔と対向する。
【００１２】
好ましくは、マニホールドは、ガス供給室と、ガス回収室と、を有する。連結補強部は、ガス供給室とガス回収室との境界部に配置される。複数の分割孔は、ガス供給室と連通する第１分割孔と、ガス回収室と連通する第２分割孔と、を含む。
【００１３】
好ましくは、燃料電池セルは、少なくとも１つの第１ガス流路と、少なくとも１つの第２ガス流路とを有する。第１ガス流路は、ガス供給室と連通する。第２ガス流路は、ガス回収室と連通する。第１及び第２ガス流路は、燃料電池セルの基端部から先端部に延びる。また、第１及び第２ガス流路は、燃料電池セルの先端部において互いに連通する。
【発明の効果】
【００１４】
本発明によれば、桟部の変形を抑制することができる。
【図面の簡単な説明】
【００１５】
【図１】セルスタック装置の斜視図。
【図２】マニホールドの断面図。
【図３】マニホールドの上面図。
【図４】セルスタック装置の断面図。
【図５】マニホールドの拡大平面図。
【図６】燃料電池セルの斜視図。
【図７】支持基板の断面図。
【図８】燃料電池セルの断面図。
【図９】変形例に係るマニホールドの拡大平面図。
【図１０】変形例に係るセルスタック装置の断面図。
【図１１】変形例に係るマニホールドの拡大平面図。
【図１２】変形例に係るセルスタック装置の断面図。
【図１３】変形例に係るセルスタック装置の断面図。
【図１４】変形例に係るセルスタック装置の拡大断面図。
【図１５】図１４のＸＶ−ＸＶ線断面図。
【図１６】図１５のセルスタック装置の別の態様を示す断面図。
【図１７】変形例に係るセルスタック装置の拡大断面図。
【図１８】変形例に係るセルスタック装置の断面図。
【発明を実施するための形態】
【００１６】
以下、本発明に係るマニホールド及びセルスタック装置の実施形態について図面を参照しつつ説明する。図１は、セルスタック装置を示す斜視図である。なお、図１において、いくつかの燃料電池セルの記載を省略している。
【００１７】
［セルスタック装置］
図１に示すように、セルスタック装置１００は、マニホールド２と、複数の燃料電池セル１０とを備えている。
【００１８】
［マニホールド］
マニホールド２は、複数の燃料電池セル１０にガスを供給するように構成されている。また、マニホールド２は、燃料電池セル１０から排出されたガスを回収するように構成されている。
【００１９】
図２は、マニホールドの断面図である。図２において、一部の貫通孔のみを想像線で示している。図２に示すように、マニホールド２は、ガス供給室２１とガス回収室２２とを有している。ガス供給室２１には、改質器などを介して燃料ガス供給源から燃料ガスが供給される。ガス回収室２２は、各燃料電池セル１０にて使用された燃料ガスのオフガスを回収する。
【００２０】
マニホールド２は、マニホールド本体部２３と、仕切板２４とを有している。マニホールド本体部２３は、内部に空間を有している。マニホールド本体部２３は、直方体状である。
【００２１】
仕切板２４は、マニホールド本体部２３の空間をガス供給室２１とガス回収室２２とに仕切っている。詳細には、仕切板２４は、マニホールド本体部２３の略中央部において、マニホールド本体部２３の長さ方向に延びている。なお、本実施形態では、仕切板２４は、マニホールド本体部２３の空間を完全に仕切っているが、仕切板２４とマニホールド本体部２３との間に隙間が形成されていてもよい。
【００２２】
ガス供給室２１の底面には、ガス供給口２１１が形成されている。また、ガス回収室２２の底面には、ガス排出口２２１が形成されている。なお、ガス供給口２１１はガス供給室２１の側面又は上面に形成されていてもよいし、ガス排出口２２１はガス回収室２２の側面又は上面に形成されていてもよい。
【００２３】
ガス供給口２１１は、例えば、後述する配列方向（ｚ軸方向）において、マニホールド２の中心Ｃよりも第１端部２０１側に配置されている。一方、ガス排出口２２１は、例えば、配列方向（ｚ軸方向）において、マニホールド２の中心Ｃよりも第２端部２０２側に配置されている。
【００２４】
図２から図４に示すように、マニホールド２は、天板２３１、底板２３２、及び側板２３３を有している。なお、この天板２３１、底板２３２、及び側板２３３によって、マニホールド本体部２３が構成されている。底板２３２と側板２３３とは１つの部材で構成されている。天板２３１は、側板２３３の上端部と接合している。なお、天板２３１と側板２３３とが１つの部材で構成されており、底板２３２が側板２３３の下端部と接合していてもよい。
【００２５】
図３に示すように、マニホールド２の天板２３１は、複数の貫通孔２３４、複数の桟部２３５、複数の連結補強部２３６を有している。各貫通孔２３４は、マニホールド２の内部と外部とを連通している。各貫通孔２３４は、ガス供給室２１及びガス回収室２２に開口している。
【００２６】
各貫通孔２３４は、互いに間隔をあけて配列されている。この貫通孔２３４の配列する方向（ｚ軸方向）を配列方向と称する。なお、本実施形態では、各貫通孔２３４は、天板２３１の長さ方向に配列されている。
【００２７】
図５は、マニホールド２の拡大平面図である。図５において、燃料電池セル１０と貫通孔２３４との配置関係を示すため、配列方向端部に配置された燃料電池セル１０の基端面１０３を仮想線で示している。図５に示すように、各貫通孔２３４は、配列方向（ｚ軸方向）と交差する方向に延びている。好ましくは、各貫通孔２３４は、配列方向と実質的に直行する方向（ｙ軸方向）に延びている。なお、この各貫通孔２３４が延びる方向を延在方向と称する。本実施形態では、各貫通孔２３４は、天板２３１の幅方向（ｙ軸方向）に延びている。
【００２８】
桟部２３５は、隣り合う一対の貫通孔２３４の間に配置されている。すなわち、配列方向において、貫通孔２３４、桟部２３５、貫通孔２３４、桟部２３５、貫通孔２３４、・・・の順で配置されている。
【００２９】
桟部２３５は、延在方向（ｙ軸方向）に延びている。すなわち、桟部２３５は、貫通孔２３４と同じ方向に延びている。なお、本実施形態では、桟部２３５は、天板２３１の幅方向に延びている。
【００３０】
連結補強部２３６は、貫通孔２３４を配列方向に横切り、一対の桟部２３５同士を連結している。すなわち、連結補強部２３６は、隣り合う一対の桟部２３５のうち一方の桟部２３５から、貫通孔２３４を横切って他方の桟部２３５まで配列方向に延びている。なお、複数の連結補強部２３６のうち、配列方向の端部に位置する連結補強部２３６は、桟部２３５と天板２３１の端部とを連結している。各連結補強部２３６は、配列方向に沿って配列されている。
【００３１】
貫通孔２３４は、貫通孔２３４を横切る連結補強部２３６によって複数の分割孔に分割されている。なお、本実施形態では、各貫通孔２３４は、２つの分割孔に分割されている。詳細には、貫通孔２３４は、第１分割孔２３４ａと第２分割孔２３４ｂとに分割されている。
【００３２】
第１分割孔２３４ａ及び第２分割孔２３４ｂは、長孔形状である。第１分割孔２３４ａ及び第２分割孔２３４ｂは、延在方向（ｙ軸方向）に延びている。図２に示すように、第１分割孔２３４ａは、ガス供給室２１と連通している。また、第２分割孔２３４ｂは、ガス回収室２２と連通している。連結補強部２３６は、ガス供給室２１とガス回収室２２との境界部に配置されている。すなわち、連結補強部２３６は、平面視（ｘ軸方向視）において、ガス供給室２１とガス回収室２２との境界部と重複している。なお、本実施形態では、連結補強部２３６は、平面視（ｘ軸方向視）において、仕切板２４と重複している。
【００３３】
［燃料電池セル］
図４は、セルスタック装置の断面図を示している。図４に示すように、燃料電池セル１０は、マニホールド２の天板２３１から上方に延びている。燃料電池セル１０は、基端部１０１及び先端部１０２を有している。燃料電池セル１０は、基端部１０１がマニホールド２に取り付けられている。すなわち、マニホールド２は、各燃料電池セル１０の基端部１０１を支持している。本実施形態では、燃料電池セル１０の基端部１０１は下端部を意味し、燃料電池セル１０の先端部１０２は上端部を意味する。
【００３４】
図４及び図６に示すように、燃料電池セル１０は、支持基板４、複数の第１ガス流路４１、複数の第２ガス流路４２、及び複数の発電素子部５を有している。また、燃料電池セル１０は、連通流路３０を有している。
【００３５】
［支持基板］
支持基板４は、マニホールド２から上方に延びている。支持基板４は、扁平状であり、基端部４３と先端部４４とを有している。基端部４３及び先端部４４は、支持基板４の長さ方向（ｘ軸方向）における両端部である。本実施形態では、支持基板４の基端部４３は下端部を意味し、支持基板４の先端部４４は上端部を意味する。本実施形態では、支持基板４は、幅方向（ｙ軸方向）に比べて長さ方向（ｘ軸方向）の寸法の方が長いが、長さ方向よりも幅方向の寸法の方が長くてもよい。
【００３６】
図６に示すように、支持基板４は、第１主面４５と、第２主面４６とを有している。第１主面４５と第２主面４６とは、互いに反対を向いている。第１主面４５及び第２主面４６は、各発電素子部５を支持している。第１主面４５及び第２主面４６は、支持基板４の厚さ方向（ｚ軸方向）を向いている。また、支持基板４の各側面４７は、支持基板４の幅方向（ｙ軸方向）を向いている。各側面４７は、湾曲していてもよい。
【００３７】
支持基板４は、電子伝導性を有さない多孔質の材料によって構成される。支持基板４は、例えば、ＣＳＺ（カルシア安定化ジルコニア）から構成される。または、支持基板４は、ＮｉＯ（酸化ニッケル）とＹＳＺ（８ＹＳＺ）（イットリア安定化ジルコニア）とから構成されてもよいし、ＮｉＯ（酸化ニッケル）とＹ２Ｏ３（イットリア）とから構成されてもよいし、ＭｇＯ（酸化マグネシウム）とＭｇＡｌ２Ｏ４（マグネシアアルミナスピネル）とから構成されてもよい。支持基板４の気孔率は、例えば、２０〜６０％程度である。この気孔率は、例えば、アルキメデス法、又は微構造観察により測定される。
【００３８】
支持基板４は、緻密層４８によって覆われている。緻密層４８は、第１ガス流路４１及び第２ガス流路４２から支持基板４内に拡散されたガスが外部に排出されることを抑制するように構成されている。本実施形態では、緻密層４８は、支持基板４の第１主面４５、第２主面４６、及び各側面４７を覆っている。なお、本実施形態では、緻密層４８は、後述する電解質７と、インターコネクタ９１とによって構成されている。緻密層４８は、支持基板４よりも緻密である。例えば、緻密層４８の気孔率は、０〜７％程度である。
【００３９】
［第１及び第２ガス流路］
図４に示すように、複数の第１ガス流路４１及び複数の第２ガス流路４２は、支持基板４内に形成されている。第１及び第２ガス流路４１、４２は、燃料電池セル１０の基端部１０１から先端部１０２に向かって延びている。本実施形態では、第１及び第２ガス流路４１、４２は、支持基板４内を上下方向に延びている。第１及び第２ガス流路４１、４２は、支持基板４を貫通している。
【００４０】
各第１ガス流路４１は、支持基板４の幅方向（ｙ軸方向）において互いに間隔をあけて配置されている。各第１ガス流路４１は、実質的に等間隔に配置されていることが好ましい。また、各第２ガス流路４２は、支持基板４の幅方向（ｙ軸方向）において互いに間隔をあけて配置されている。各第２ガス流路４２は、実質的に等間隔に配置されていることが好ましい。
【００４１】
第１ガス流路４１は、基端部４１１及び先端部４１２を有している。第１ガス流路４１の基端部４１１はマニホールド２側に位置する。また、第１ガス流路４１の先端部４１２は、基端部４１１の反対側の端部である。なお、本実施形態において、第１ガス流路４１の下端部が基端部４１１であり、第１ガス流路４１の上端部が先端部４１２である。
【００４２】
第２ガス流路４２は、基端部４２１及び先端部４２２を有している。第２ガス流路４２の基端部４２１は、マニホールド２側に位置する。また、第２ガス流路４２の先端部４２２は、基端部４２１の反対側の端部である。なお、本実施形態において、第２ガス流路４２の下端部が基端部４２１であり、第２ガス流路４２の上端部が先端部４２２である。
【００４３】
第１ガス流路４１は、第１分割孔２３４ａを介して、マニホールド２のガス供給室２１と連通している。第２ガス流路４２は、第２分割孔２３４ｂを介して、マニホールド２のガス回収室２２と連通している。
【００４４】
隣り合う第１ガス流路４１間のピッチｐ１は、例えば、１〜５ｍｍ程度である。この隣り合う第１ガス流路４１間のピッチｐ１は、隣り合う第１ガス流路４１の中心間の距離である。例えば、第１ガス流路４１間のピッチｐ１は、支持基板４の基端部４３、中央部、及び先端部４４のそれぞれにおいて測定したピッチの平均値とすることができる。
【００４５】
隣り合う第２ガス流路４２間のピッチｐ２は、例えば、１〜５ｍｍ程度である。この隣り合う第２ガス流路４２間のピッチｐ２は、隣り合う第２ガス流路４２の中心間の距離である。例えば、第２ガス流路４２間のピッチｐ２は、支持基板４の基端部４３、中央部、及び先端部４４のそれぞれにおいて測定したピッチの平均値とすることができる。なお、第２ガス流路４２間のピッチｐ２は、第１ガス流路４１間のピッチｐ１と実質的に等しいことが好ましい。
【００４６】
隣り合う第１ガス流路４１と第２ガス流路４２との間のピッチｐ０は、例えば、１〜１０ｍｍ程度である。この隣り合う第１ガス流路４１と第２ガス流路４２との間のピッチｐ０は、第１ガス流路４１の中心と第２ガス流路４２の中心との距離である。例えば、ピッチｐ０は、支持基板４の基端部４３、中央部、及び先端部４４のそれぞれにおいて測定したピッチの平均値とすることができる。
【００４７】
隣り合う第１ガス流路４１と第２ガス流路４２との間のピッチｐ０は、隣り合う第１ガス流路４１間のピッチｐ１よりも大きい。また、隣り合う第１ガス流路４１と第２ガス流路４２との間のピッチｐ０は、隣り合う第２ガス流路４２間のピッチｐ２よりも大きい。これらにより、第１ガス流路４１を流れるガスが支持基板４内を介して第２ガス流路４２へショートカットすることを抑制している。
【００４８】
このように、第１ガス流路４１と第２ガス流路４２との間のピッチｐ０を第１ガス流路４１間のピッチｐ１、及び第２ガス流路４２間のピッチｐ２よりも大きくすることによって、隣り合う第１ガス流路４１と第２ガス流路４２とを分けている。この第１ガス流路４１と第２ガス流路４２との間の領域を境界領域４０３と称する。
【００４９】
図７に示すように、支持基板４は、第１領域４０１、第２領域４０２、及び境界領域４０３を有している。第１領域４０１、第２領域４０２、及び境界領域４０３のそれぞれの領域は、支持基板４を幅方向（ｙ軸方向）に区画することによってできる領域である。第１領域４０１は、第１ガス流路４１が形成される領域である。第２領域４０２は、第２ガス流路４２が形成される領域である。境界領域４０３は、第１領域４０１と第２領域４０２との間の領域である。境界領域４０３によって、第１領域４０１と第２領域４０２とが隔てられている。
【００５０】
図４に示すように、第１ガス流路４１と第２ガス流路４２とは、燃料電池セル１０の先端部１０２において互いに連通している。すなわち、第１ガス流路４１と第２ガス流路４２とは、それぞれの先端部４１２，４２２において互いに連通している。詳細には、第１ガス流路４１と第２ガス流路４２とが、連通流路３０を介して連通している。
【００５１】
［第１及び第２ガス流路の圧力損失］
第１ガス流路４１及び前記第２ガス流路４２は、第１ガス流路４１内におけるガスの圧力損失が第２ガス流路４２内におけるガスの圧力損失よりも小さくなるように構成されている。なお、第１ガス流路４１の数と第２ガス流路４２との数とが異なる場合は、各第１ガス流路４１内におけるガスの圧力損失の合計値が、各第２ガス流路４２内におけるガスの圧力損失の合計値よりも小さくなるように、第１ガス流路４１及び第２ガス流路４２が構成される。
【００５２】
本実施形態では、各第１ガス流路４１の流路断面積の合計値を、各第２ガス流路４２の流路断面積の合計値よりも大きくしている。なお、本実施形態では、各第１ガス流路４１の流路断面積のそれぞれが、各第２ガス流路４２の流路断面積のそれぞれよりも大きい。
【００５３】
各第２ガス流路４２の流路断面積の合計値（Ｓ２）に対する、各第１ガス流路４１の流路断面積の合計値（Ｓ１）の割合（Ｓ１／Ｓ２）は、１．０５以上とすることが好ましい。また、この割合（Ｓ１／Ｓ２）は、３．０以下とすることができる。
【００５４】
なお、特に限定されるものではないが、第１ガス流路４１の流路断面積は、例えば、０.５〜２０ｍｍ２程度とすることができる。また、第２ガス流路４２の流路断面積は、例えば、０.１〜１５ｍｍ２程度とすることができる。
【００５５】
第１ガス流路４１の流路断面積は、第１ガス流路４１が延びる方向（ｘ軸方向）と直交する面（ｙｚ平面）で切断した切断面における第１ガス流路４１の流路断面積を言う。また、第１ガス流路４１の流路断面積は、第１ガス流路４１の基端部４１１の任意の箇所における流路断面積と、中央部の任意の箇所における流路断面積と、先端部４１２の任意の箇所における流路断面積との平均値とすることができる。
【００５６】
また、第２ガス流路４２の流路断面積は、第２ガス流路４２が延びる方向（ｘ軸方向）と直交する面（ｙｚ平面）で切断した切断面における第２ガス流路４２の流路断面積を言う。また、第２ガス流路４２の流路断面積は、第２ガス流路４２の基端部４２１の任意の箇所における流路断面積と、中央部の任意の箇所における流路断面積と、先端部４２２の任意の箇所における流路断面積との平均値とすることができる。
【００５７】
［発電素子部］
図６に示すように、各発電素子部５は、支持基板４の第１主面４５及び第２主面４６に支持されている。なお、第１主面４５に形成される発電素子部５の数と第２主面４６に形成される発電素子部５の数とは、互いに同じであってもよいし異なっていてもよい。また、各発電素子部５の大きさは、互いに異なっていてもよい。
【００５８】
各発電素子部５は、第１及び第２ガス流路４１、４２が延びる方向（ｘ軸方向）に沿って配列されている。詳細には、各発電素子部５は、支持基板４上において、基端部４３から先端部４４に向かって互いに間隔をあけて配置されている。すなわち、各発電素子部５は、支持基板４の長さ方向（ｘ軸方向）に沿って、間隔をあけて配置されている。なお、各発電素子部５は、後述する電気的接続部９によって、互いに直列に接続されている。
【００５９】
発電素子部５は、支持基板４の幅方向（ｙ軸方向）に延びている。発電素子部５は、支持基板４の幅方向において第１部分５１と第２部分５２とに区画される。なお、第１部分５１と第２部分５２との厳密な境界はない。例えば、燃料電池セル１０をマニホールド２に取り付けた状態において、支持基板４の長さ方向視（ｘ軸方向視）において、ガス供給室２１とガス回収室２２との境界と重複する部分を、第１部分５１と第２部分５２との境界部とすることができる。
【００６０】
支持基板４の厚さ方向視（ｚ軸方向視）において、第１ガス流路４１は、発電素子部５の第１部分５１と重複している。このため、発電素子部５の第１部分５１は、主に各第１ガス流路４１から燃料ガスが供給される。また、支持基板４の厚さ方向視（ｚ軸方向視）において、第２ガス流路４２は、発電素子部５の第２部分５２と重複している。このため、発電素子部５の第２部分５２は、主に各第２ガス流路４２から燃料ガスが供給される。なお、複数の第１ガス流路４１のうち、一部の第１ガス流路４１が第１部分５１と重複していなくてもよい。同様に、複数の第２ガス流路４２のうち、一部の第２ガス流路４２が第２部分５２と重複していなくてもよい。
【００６１】
図８は、第１ガス流路４１に沿って切断した燃料電池セル１０の断面図である。なお、第２ガス流路４２に沿って切断した燃料電池セル１０の断面図は、第２ガス流路４２の流路断面積が異なる以外は、図８と同じである。
【００６２】
発電素子部５は、燃料極６、電解質７、及び空気極８を有している。また、発電素子部５は、反応防止膜１１をさらに有している。燃料極６は、電子伝導性を有する多孔質の材料から構成される焼成体である。燃料極６は、燃料極集電部６１と燃料極活性部６２とを有する。
【００６３】
燃料極集電部６１は、凹部４９内に配置されている。凹部４９は、支持基板４に形成されている。詳細には、燃料極集電部６１は、凹部４９内に充填されており、凹部４９と同様の外形を有する。各燃料極集電部６１は、第１凹部６１１及び第２凹部６１２を有している。燃料極活性部６２は、第１凹部６１１内に配置されている。詳細には、燃料極活性部６２は、第１凹部６１１内に充填されている。
【００６４】
燃料極集電部６１は、例えば、ＮｉＯ（酸化ニッケル）とＹＳＺ（８ＹＳＺ）（イットリア安定化ジルコニア）とから構成され得る。或いは、燃料極集電部６１は、ＮｉＯ（酸化ニッケル）とＹ２Ｏ３（イットリア）とから構成されてもよいし、ＮｉＯ（酸化ニッケル）とＣＳＺ（カルシア安定化ジルコニア）とから構成されてもよい。燃料極集電部６１の厚さ、及び凹部４９の深さは、５０〜５００μｍ程度である。
【００６５】
燃料極活性部６２は、例えば、ＮｉＯ（酸化ニッケル）とＹＳＺ（８ＹＳＺ）（イットリア安定化ジルコニア）とから構成され得る。或いは、燃料極活性部６２は、ＮｉＯ（酸化ニッケル）とＧＤＣ（ガドリニウムドープセリア）とから構成されてもよい。燃料極活性部６２の厚さは、５〜３０μｍである。
【００６６】
電解質７は、燃料極６上を覆うように配置されている。詳細には、電解質７は、一のインターコネクタ９１から他のインターコネクタ９１まで長さ方向に延びている。すなわち、支持基板４の長さ方向（ｘ軸方向）において、電解質７とインターコネクタ９１とが交互に配置されている。また、電解質７は、支持基板４の第１主面４５、第２主面４６、及び各側面４７を覆っている。
【００６７】
電解質７は、支持基板４よりも緻密である。例えば、電解質７の気孔率は、０〜７％程度である。電解質７は、イオン伝導性を有し且つ電子伝導性を有さない緻密な材料から構成される焼成体である。電解質７は、例えば、ＹＳＺ（８ＹＳＺ）（イットリア安定化ジルコニア）から構成され得る。或いは、ＬＳＧＭ（ランタンガレート）から構成されてもよい。電解質７の厚さは、例えば、３〜５０μｍ程度である。
【００６８】
反応防止膜１１は、緻密な材料から構成される焼成体である。反応防止膜１１は、平面視において、燃料極活性部６２と略同一の形状である。反応防止膜１１は、電解質７を介して、燃料極活性部６２と対応する位置に配置されている。反応防止膜１１は、電解質７内のＹＳＺと空気極８内のＳｒとが反応して電解質７と空気極８との界面に電気抵抗が大きい反応層が形成される現象の発生を抑制するために設けられている。反応防止膜１１は、例えば、ＧＤＣ＝（Ｃｅ，Ｇｄ）Ｏ２（ガドリニウムドープセリア）から構成され得る。反応防止膜１１の厚さは、例えば、３〜５０μｍ程度である。
【００６９】
空気極８は、反応防止膜１１上に配置されている。空気極８は、電子伝導性を有する多孔質の材料から構成される焼成体である。空気極８は、例えば、ＬＳＣＦ＝（Ｌａ，Ｓｒ）（Ｃｏ，Ｆｅ）Ｏ３（ランタンストロンチウムコバルトフェライト）から構成され得る。或いは、ＬＳＦ＝（Ｌａ，Ｓｒ）ＦｅＯ３（ランタンストロンチウムフェライト）、ＬＮＦ＝Ｌａ（Ｎｉ，Ｆｅ）Ｏ３（ランタンニッケルフェライト）、ＬＳＣ＝（Ｌａ，Ｓｒ）ＣｏＯ３（ランタンストロンチウムコバルタイト）等から構成されてもよい。また、空気極８は、ＬＳＣＦから構成される第１層（内側層）とＬＳＣから構成される第２層（外側層）との２層によって構成されてもよい。空気極８の厚さは、例えば、１０〜１００μｍである。
【００７０】
［電気的接続部］
電気的接続部９は、隣り合う発電素子部５を電気的に接続するように構成されている。電気的接続部９は、インターコネクタ９１及び空気極集電膜９２を有する。インターコネクタ９１は、第２凹部６１２内に配置されている。詳細には、インターコネクタ９１は、第２凹部６１２内に埋設（充填）されている。インターコネクタ９１は、電子伝導性を有する緻密な材料から構成される焼成体である。インターコネクタ９１は、支持基板４よりも緻密である。例えば、インターコネクタ９１の気孔率は、０〜７％程度である。インターコネクタ９１は、例えば、ＬａＣｒＯ３（ランタンクロマイト）から構成され得る。或いは、（Ｓｒ，Ｌａ）ＴｉＯ３（ストロンチウムチタネート）から構成されてもよい。インターコネクタ９１の厚さは、例えば、１０〜１００μｍである。
【００７１】
空気極集電膜９２は、隣り合う発電素子部５のインターコネクタ９１と空気極８との間を延びるように配置される。例えば、図８の左側に配置された発電素子部５の空気極８と、図８の右側に配置された発電素子部５のインターコネクタ９１とを電気的に接続するように、空気極集電膜９２が配置されている。空気極集電膜９２は、電子伝導性を有する多孔質の材料から構成される焼成体である。空気極集電部８２は、酸素イオン伝導性を有していてもよいし、有していなくてもよい。
【００７２】
空気極集電膜９２は、例えば、ＬＳＣＦ＝（Ｌａ，Ｓｒ）（Ｃｏ，Ｆｅ）Ｏ３（ランタンストロンチウムコバルトフェライト）から構成され得る。或いは、ＬＳＣ＝（Ｌａ，Ｓｒ）ＣｏＯ３（ランタンストロンチウムコバルタイト）から構成されてもよい。或いは、Ａｇ（銀）、Ａｇ−Ｐｄ（銀パラジウム合金）から構成されてもよい。空気極集電膜９２の厚さは、例えば、５０〜５００μｍ程度である。
【００７３】
［連通部材］
図４に示すように、連通部材３は、支持基板４の先端部４４に取り付けられている。そして、連通部材３は、第１ガス流路４１と第２ガス流路４２とを連通させる連通流路３０を有している。詳細には、連通流路３０は、各第１ガス流路４１の先端部４１２と各第２ガス流路４２の先端部４２２とを連通する。連通流路３０は、各第１ガス流路４１から各第２ガス流路４２まで延びる空間によって構成されている。連通部材３は、支持基板４に接合されていることが好ましい。また、連通部材３は、支持基板４と一体的に形成されていることが好ましい。
【００７４】
連通部材３は、例えば、多孔質である。また、連通部材３は、その外側面を構成する緻密層３１を有している。緻密層３１は、連通部材３の本体よりも緻密に形成されている。例えば、緻密層３１の気孔率は、０〜７％程度である。この緻密層３１は、連通部材３と同じ材料や、上述した電解質７に使用される材料、結晶化ガラス等によって形成することができる。
【００７５】
図１に示すように、各燃料電池セル１０は、主面同士が対向するように配列されている。また、各燃料電池セル１０は、配列方向（ｚ軸方向）に沿って配列されている。本実施形態では、各燃料電池セル１０は、配列方向に沿って等間隔に配置されているが、等間隔でなくてもよい。
【００７６】
［燃料電池セルと貫通孔との配置関係］
図４に示すように、燃料電池セル１０の基端面１０３は、天板２３１と対向している。図５に示すように、燃料電池セル１０の基端面１０３は、貫通孔２３４を覆っている。第１分割孔２３４ａは、複数の第１ガス流路４１と連通している。また、第２分割孔２３４ｂは、複数の第２ガス流路４２と連通している。なお、連結補強部２３６は、燃料電池セル１０の境界領域４０３における基端面１０３と対向している。本実施形態では、燃料電池セル１０の基端面１０３は、下端面を意味する。
【００７７】
貫通孔２３４は、配列方向（ｚ軸方向）の寸法が、各ガス流路４１、４２の直径よりも大きい。詳細には、第１分割孔２３４ａは、配列方向の寸法が、第１ガス流路４１の直径よりも大きい。また、第２分割孔２３４ｂは、配列方向の寸法が、第２ガス流路４３の直径よりも大きい。このように構成されているため、燃料電池セル１０の変形などによって燃料電池セル１０の基端部１０１の位置が設計値から多少ずれた場合であっても、貫通孔２３４と各ガス流路４１，４２とが連通する状態を維持できる。
【００７８】
燃料電池セル１０の基端面１０３は、外周縁部と、外周縁部に囲まれた中央部とを有している。基端面１０３の外周縁部は、天板２３１と当接している。そして、基端面１０３の中央部は、貫通孔２３４と対向している。すなわち、燃料電池セル１０の基端面１０３は、平面視（ｘ軸方向視）において、貫通孔２３４よりも一回り大きい。なお、基端面１０３の中央部は、第１分割孔２３４ａと第２分割孔２３４ｂとの間において、連結補強部２３６と当接している。
【００７９】
燃料電池セル１０の基端部１０１は、天板２３１に固定されている。例えば、燃料電池セル１０の基端部１０１は、接合材１０４などによって、天板２３１に固定されている。詳細には、燃料電池セル１０の基端面１０３が貫通孔２３４を覆うように配置された状態で、燃料電池セル１０の基端部１０１が天板２３１に接合材１０４などによって固定されている。接合材１０４は、燃料電池セル１０の基端部１０１に沿って環状に形成されている。燃料電池セル１０は、貫通孔２３４内に挿入されていない。
【００８０】
［発電方法］
上述したように構成されたセルスタック装置１００では、マニホールド２のガス供給室２１に水素ガスなどの燃料ガスを供給するとともに、燃料電池セル１０を空気などの酸素を含むガスに曝す。すると、空気極８において下記（１）式に示す化学反応が起こり、燃料極６において下記（２）式に示す化学反応が起こり、電流が流れる。
（１／２）・Ｏ２＋２ｅ−→Ｏ２−      …（１）
Ｈ２＋Ｏ２−→Ｈ２Ｏ＋２ｅ−          …（２）
【００８１】
詳細には、ガス供給室２１に供給された燃料ガスは、各燃料電池セル１０の第１ガス流路４１内を流れ、各発電素子部５の燃料極６において、上記（２）式に示す化学反応が起こる。各燃料極６において未反応であった燃料ガスは、第１ガス流路４１を出て連通流路３０を介して第２ガス流路４２へ供給される。そして、第２ガス流路４２へ供給された燃料ガスは、再度、燃料極６において上記（２）式に示す化学反応が起こる。第２ガス流路４２を流れる過程において燃料極６において未反応であった燃料ガスは、マニホールド２のガス回収室２２へ回収される。
【００８２】
［変形例］
以上、本発明の実施形態について説明したが、本発明はこれらに限定されるものではなく、本発明の趣旨を逸脱しない限りにおいて種々の変更が可能である。
【００８３】
変形例１
上記実施形態では、連結補強部２３６が貫通孔２３４の延在方向（ｙ軸方向）の中央部に形成されており、第１分割孔２３４ａと第２分割孔２３４ｂとが実質的に同じ大きさであったが、連結補強部２３６の位置はこれに限定されない。例えば、図９に示すように、連結補強部２３６は、第２分割孔２３４ｂ側（図９の下側）に配置されていてもよい。すなわち、第１分割孔２３４ａが第２分割孔２３４ｂよりも大きくてもよい。この場合、図１０に示すように、第１ガス流路４１の数を第２ガス流路４２よりも多くすることができる。なお、連結補強部２３６が第１分割孔２３４ａ側に配置されており、第２分割孔２３４ｂが第１分割孔２３４ａよりも大きくてもよい。
【００８４】
変形例２
上記実施形態では、１つの貫通孔２３４につき１つの連結補強部２３６を有しているが、連結補強部２３６の数はこれに限定されない。例えば、図１１に示すように、天板２３１は、１つの貫通孔２３４に対して、２つの連結補強部２３６を有していてもよい。すなわち、貫通孔２３４は、３つの分割孔に分割されていてもよい。
【００８５】
この場合、例えば、図１２に示すように、３つの分割孔のうち、両端の分割孔を第１分割孔２３４ａとしてガス供給室２１と連通させ、中央の分割孔を第２分割孔２３４ｂとしてガス回収室２２と連通させてもよい。なお、第１分割孔２３４ａは第１ガス流路４１と連通し、第２分割孔２３４ｂは第２ガス流路４２と連通する。
【００８６】
また、図１３に示すように、３つの分割孔のうち、両端の分割孔を第２分割孔２３４ｂとしてガス回収室２２と連通させ、中央の分割孔を第１分割孔２３４ａとしてガス供給室２１と連通させてもよい。なお、第１分割孔２３４ａは第１ガス流路４１と連通し、第２分割孔２３４ｂは第２ガス流路４２と連通する。
【００８７】
変形例３
上記実施形態では、連結補強部２３６は、燃料電池セル１０の境界領域４０３における基端面１０３と対向しているがこれに限定されない。連結補強部２３６は、第１領域４０１又は第２領域４０２における基端面１０３と対向する位置に形成されていてもよい。
【００８８】
変形例４
上記実施形態では、燃料電池セル１０の基端面１０３の外周縁部の全面が天板２３１と当接していたが、基端面１０３の外周縁部の少なくとも一部が天板２３１と当接していなくてもよい。すなわち、基端面１０３と天板２３１との間に隙間が形成されていてもよい。
【００８９】
例えば、図１４に示すように、燃料電池セル１０の基端面１０３とマニホールド２の天板２３１との距離は、燃料電池セル１０の幅方向（ｙ軸方向）において異なっている。燃料電池セル１０の幅方向の中央部における燃料電池セル１０の基端面１０３とマニホールド２の天板２３１との距離ｄ１は、燃料電池セル１０の幅方向の端部における燃料電池セル１０の基端面１０３とマニホールド２の天板２３１との距離ｄ２よりも大きい。
【００９０】
燃料電池セル１０の基端面１０３とマニホールド２の天板２３１との距離は、幅方向（ｙ軸方向）の両端部から中央部に向かって徐々に大きくなる。燃料電池セル１０の基端面１０３は、幅方向（ｙ軸方向）の中央部が幅方向の両端部よりも天板２３１から離れるように湾曲している。例えば、燃料電池セル１０の正面視（ｚ軸方向視）において、基端面１０３は、円弧状に形成されている。なお、天板２３１の桟部２３５が、幅方向の中央部が幅方向の両端部よりも燃料電池セル１０の基端面１０３から離れるように湾曲していてもよい。例えば、燃料電池セル１０の正面視（ｚ軸方向視）において、天板２３１の桟部２３５は、円弧状に湾曲していてもよい。
【００９１】
なお、燃料電池セル１０の幅方向の中央部とは、燃料電池セル１０の幅方向の中心近傍の領域を言う。具体的には、燃料電池セル１０の幅方向の中央部とは、燃料電池セル１０を幅方向に５等分したうちの中央部を言う。また、燃料電池セル１０の幅方向の端部とは、例えば、燃料電池セル１０を幅方向に５等分したうちの端部を言う。
【００９２】
燃料電池セル１０の基端面１０３は、幅方向の両端部において、天板２３１と当接している。詳細には、燃料電池セル１０の基端面１０３は、幅方向の両端部の一部が天板２３１と当接している。
【００９３】
燃料電池セル１０の幅方向の中央部における燃料電池セル１０の基端面１０３とマニホールド２の天板２３１との距離ｄ１は、例えば、０．０２〜１ｍｍ程度である。この距離ｄ１は、例えば、燃料電池セル１０を幅方向に５等分したうちの中央部の基端面１０３と天板２３１との距離を任意の３箇所で測定してそれらを平均したものである。
【００９４】
また、燃料電池セル１０の幅方向の端部における燃料電池セル１０の基端面１０３とマニホールド２の天板２３１との距離ｄ２は、例えば、０．０１〜０．３ｍｍ程度である。この距離ｄ２は、例えば、燃料電池セル１０を幅方向に５等分したうちの端部の基端面１０３と天板２３１との距離を任意の３箇所で測定してそれらを平均したものである。
【００９５】
接合材１０４は、燃料電池セル１０の基端面１０３とマニホールド２の天板２３１との隙間に充填されている。図１５に示すように、接合材１０４は、基端面１０３の外周縁と天板２３１との間に充填されている。そして、接合材１０４は、基端面１０３の中央部と天板２３１との間には充填されていない。すなわち、第１ガス流路４１及び第２ガス流路４２と、貫通孔２３４とが連通するように、第１ガス流路４１及び第２ガス流路４２と、貫通孔２３４との間には接合材１０４は充填されていない。
【００９６】
なお、図１６に示すように、接合材１０４は、一部が貫通孔２３４と重なるように、貫通孔２３４と第１又は第２ガス流路４１，４２との間にはみ出ていてもよい。また、接合材１０４の一部が、第１又は第２ガス流路４１，４２の基端部４１１、４２１の内壁面を覆っていてもよい。この接合材１０４によって、第１又は第２ガス流路４１，４２の基端部４１１，４２１の強度を向上させることができる。
【００９７】
また、接合材１０４の一部が、貫通孔２３４の内壁面の少なくとも一部を覆っていてもよい。これにより、接合材１０４が天板２３１から剥離することを抑制できる。
【００９８】
また、図１７に示すように、接合材１０４は、連結補強部２３６と燃料電池セル１０の基端面１０３との間に充填されている。このため、ガス供給室２１内の燃料ガスが、連結補強部２３６と燃料電池セル１０の基端面１０３との隙間を介してガス回収室２２へと流れることを防止することができる。
【００９９】
接合材１０４は、例えば、結晶化ガラスである。結晶化ガラスとしては、例えば、ＳｉＯ２−Ｂ２Ｏ３系、ＳｉＯ２−ＣａＯ系、またはＳｉＯ２−ＭｇＯ系が採用され得る。なお、本明細書では、結晶化ガラスとは、全体積に対する「結晶相が占める体積」の割合（結晶化度）が６０％以上であり、全体積に対する「非晶質相及び不純物が占める体積」の割合が４０％未満のガラスを指す。なお、接合材１０４の材料として、非晶質ガラス、ろう材、またはセラミックス等が採用されてもよい。具体的には、接合材１０４は、ＳｉＯ２−ＭｇＯ−Ｂ２Ｏ５−Ａｌ２Ｏ３系及びＳｉＯ２−ＭｇＯ−Ａｌ２Ｏ３−ＺｎＯ系よりなる群から選ばれる少なくとも一種である。
【０１００】
変形例５
図１８に示すように、セルスタック装置１００は、連通部材３を備えていなくてもよい。この場合、例えば、支持基板４内に連通流路３０が形成されていてもよい。この連通流路３０は、支持基板４の先端部４４において、幅方向（ｙ軸方向）に延びている。
【０１０１】
変形例６
上記実施形態の燃料電池セル１０は、各発電素子部５が支持基板４の長さ方向（ｘ軸方向）に配列されている、いわゆる横縞型の燃料電池セルであるが、燃料電池セル１０の構成はこれに限定されない。例えば、燃料電池セル１０は、支持基板４の第１主面４５に１つの発電素子部５が支持された、いわゆる縦縞型の燃料電池セルであってもよい。この場合、支持基板４の第２主面４６に一つの発電素子部５が支持されていてもよいし、支持されていなくてもよい。
【０１０２】
変形例７
上記実施形態では、燃料電池セル１０からのオフガスをマニホールド２のガス回収室２２によって回収しているが、これに限定されない。例えば、燃料電池セル１０の先端部からオフガスを排出して燃焼させてもよい。この場合、マニホールド２は、仕切板２４を有しておらず、ガス供給室２１とガス回収室２２とに分かれていなくてよい。
【符号の説明】
【０１０３】
２    マニホールド
２１    ガス供給室
２２    ガス回収室
２３１    天板
２３２    底板
２３３    側板
２３４    貫通孔
２３４ａ    第１分割孔
２３４ｂ    第２分割孔
２３５    桟部
２３６    連結補強部
４１    第１ガス流路
４２    第２ガス流路
１０    燃料電池セル
１０３    基端面
【図１】
2020098692.tif 000003
【図２】
2020098692.tif 000004
【図３】
2020098692.tif 000005
【図４】
2020098692.tif 000006
【図５】
2020098692.tif 000007
【図６】
2020098692.tif 000008
【図７】
2020098692.tif 000009
【図８】
2020098692.tif 000010
【図９】
2020098692.tif 000011
【図１０】
2020098692.tif 000012
【図１１】
2020098692.tif 000013
【図１２】
2020098692.tif 000014
【図１３】
2020098692.tif 000015
【図１４】
2020098692.tif 000016
【図１５】
2020098692.tif 000017
【図１６】
2020098692.tif 000018
【図１７】
2020098692.tif 000019
【図１８】
2020098692.tif 000020
【手続補正書】
【提出日】平成31年2月21日(2019.2.21)
【手続補正１】
【補正対象書類名】明細書
【補正対象項目名】００５１
【補正方法】変更
【補正の内容】
【００５１】
［第１及び第２ガス流路の圧力損失］
第１ガス流路４１及び前記第２ガス流路４２は、第１ガス流路４１内におけるガスの圧力損失が第２ガス流路４２内におけるガスの圧力損失よりも小さくなるように構成されている。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
複数の燃料電池セルと、
複数の前記燃料電池セルにガスを供給するマニホールドと、
を備え、
前記マニホールドは、底板、側板、及び天板を含み、
前記天板は、
互いに間隔をあけて配列され、配列方向と交差する延在方向に延びる複数の貫通孔と、
前記各貫通孔間において前記延在方向に延びる複数の桟部と、
前記貫通孔を横切り、隣り合う前記桟部同士を連結する連結補強部と、
を有し、
前記貫通孔は、前記連結補強部によって複数の分割孔に分割され、
複数の前記燃料電池セルは、前記天板から延び、
１つの前記燃料電池セルは、前記複数の分割孔からガスが供給される、
セルスタック装置。
【請求項２】
前記各分割孔は、長孔形状である、
請求項１に記載のセルスタック装置。
【請求項３】
前記各分割孔は、前記燃料電池セルに形成された複数のガス流路と連通する、
請求項１または２に記載のセルスタック装置。
【請求項４】
前記燃料電池セルは、前記天板と対向する基端面を有し、
前記基端面の外周縁部は、前記天板と当接し、
前記外周縁部に囲まれた前記基端面の中央部は、前記貫通孔と対向する、
請求項１から３のいずれかに記載のセルスタック装置。
【請求項５】
前記マニホールドは、ガス供給室と、ガス回収室と、を有し、
前記連結補強部は、前記ガス供給室と前記ガス回収室との境界部に配置され、
前記複数の分割孔は、前記ガス供給室と連通する第１分割孔と、前記ガス回収室と連通
する第２分割孔と、を含む、
請求項１から４のいずれかに記載のセルスタック装置。
【請求項６】
前記燃料電池セルは、
前記ガス供給室と連通し、前記燃料電池セルの基端部から先端部に延びる少なくとも１つの第１ガス流路と、
前記ガス回収室と連通し、前記燃料電池セルの基端部から先端部に延びて前記燃料電
池セルの先端部において前記第１ガス流路と連通する、少なくとも１つの第２ガス流路と、
を有する、
請求項５に記載のセルスタック装置。
【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
複数の燃料電池セルと、
複数の前記燃料電池セルにガスを供給するマニホールドと、
を備え、
前記マニホールドは、底板、側板、及び天板を含み、
前記天板は、
互いに間隔をあけて配列され、配列方向と交差する延在方向に延びる複数の貫通孔と、
前記各貫通孔間において前記延在方向に延びる複数の桟部と、
前記貫通孔を横切り、隣り合う前記桟部同士を連結する連結補強部と、
を有し、
前記貫通孔は、前記連結補強部によって複数の分割孔に分割され、
複数の前記燃料電池セルは、前記天板から延び、
１つの前記燃料電池セルは、前記複数の分割孔を介して、ガスが供給及び／又は回収され、
前記各分割孔は、長孔形状である、
セルスタック装置。
【請求項２】
複数の燃料電池セルと、
複数の前記燃料電池セルにガスを供給するマニホールドと、
を備え、
前記マニホールドは、底板、側板、及び天板を含み、
前記天板は、
互いに間隔をあけて配列され、配列方向と交差する延在方向に延びる複数の貫通孔と、
前記各貫通孔間において前記延在方向に延びる複数の桟部と、
前記貫通孔を横切り、隣り合う前記桟部同士を連結する連結補強部と、
を有し、
前記貫通孔は、前記連結補強部によって複数の分割孔に分割され、
複数の前記燃料電池セルは、前記天板から延び、
１つの前記燃料電池セルは、前記複数の分割孔を介して、ガスが供給及び／又は回収され、
前記各分割孔は、前記燃料電池セルに形成された複数のガス流路と連通する、
セルスタック装置。
【請求項３】
前記各分割孔は、長孔形状である、
請求項２に記載のセルスタック装置。
【請求項４】
前記燃料電池セルは、前記天板と対向する基端面を有し、
前記基端面の外周縁部は、前記天板と当接し、
前記外周縁部に囲まれた前記基端面の中央部は、前記貫通孔と対向する、
請求項１から３のいずれかに記載のセルスタック装置。
【請求項５】
前記マニホールドは、ガス供給室と、ガス回収室と、を有し、
前記連結補強部は、前記ガス供給室と前記ガス回収室との境界部に配置され、
前記複数の分割孔は、前記ガス供給室と連通する第１分割孔と、前記ガス回収室と連通する第２分割孔と、を含む、
請求項１から４のいずれかに記載のセルスタック装置。
【請求項６】
前記燃料電池セルは、
前記ガス供給室と連通し、前記燃料電池セルの基端部から先端部に延びる少なくとも１つの第１ガス流路と、
前記ガス回収室と連通し、前記燃料電池セルの基端部から先端部に延びて前記燃料電池セルの先端部において前記第１ガス流路と連通する、少なくとも１つの第２ガス流路と、
を有する、
請求項５に記載のセルスタック装置。